(57)【要約】【課題】  カテーテルとの摩擦抵抗を大きくして滑り難くできるとともに、固定に伴いカテーテルの内腔に菌も繁殖しにくい医療用カテーテルの固定具を提供すること。【解決手段】  カテーテル２との摩擦力によって該カテーテルの長さ方向の移動を制御するストッパ部６と、リング状、脚状或いは板状に形成されて皮膚に接触する固定部５とからなる医療用カテーテルの固定具１で、ストッパ部６のカテーテル２の外周に嵌め込まれる内腔が、その中心軸線と同一の中心軸線をもった第１内腔部１３と、該第１内腔部の中心軸線と僅かな角度で傾斜して連接された第２内腔部１４とで形成され、カテーテル２の外周面との間の摩擦抵抗を大きくして滑り難くしたこと。【選択図】        図２
2006305025.tif 000002
【特許請求の範囲】
【請求項１】
経皮的に体内へ挿入されるチューブ状の医療用カテーテルを固定する際に、該カテーテルの外周に嵌め込んで使用される固定具であって、カテーテルとの摩擦力によって該カテーテルの長さ方向の移動を制御するストッパ部と、リング状、脚状或いは板状に形成されて皮膚に接触する固定部とからなる医療用カテーテルの固定具において、前記ストッパ部のカテーテルの外周に嵌め込まれる内腔が、その中心軸線と同一の中心軸線をもった第１内腔部と、該第１内腔部の中心軸線と僅かな角度で傾斜して連接された第２内腔部とで形成され、カテーテルの外周面との間の摩擦抵抗を大きくして滑り難くしたことを特徴とする医療用カテーテルの固定具。
【請求項２】
第２内腔部の傾斜角度が、７°〜１５°である請求項１記載の医療用カテーテルの固定具。
【請求項３】
経皮的に体内へ挿入されるチューブ状の医療用カテーテルを固定する際に、該カテーテルの外周に嵌め込んで使用される固定具であって、カテーテルとの摩擦力によって該カテーテルの長さ方向の移動を制御するストッパ部と、リング状、脚状或いは板状に形成されて皮膚に接触する固定部とからなる医療用カテーテルの固定具において、前記ストッパ部のカテーテルの外周に嵌め込まれる内腔が、波状或いは螺旋状に形成され、カテーテルの外周面との間の摩擦抵抗を大きくして滑り難くしたことを特徴とする医療用カテーテルの固定具。
【請求項４】
ストッパ部と固定部とが着脱可能となっている請求項１ないし３のいずれかに記載の医療用カテーテルの固定具。
【請求項５】
医療用カテーテルが、胃瘻栄養バルーンカテーテル、腎盂バルーンカテーテル、気管切開カテーテル、排液用カテーテル、のいずれかである請求項１ないし４のいずれかに記載の医療用カテーテルの固定具。
【発明の詳細な説明】
【技術分野】
【０００１】
この発明は、胃瘻栄養バルーンカテーテルなどの医療用カテーテルの固定具に関するものであって、特に固定具がカテーテルの外周面上を滑り難くしてその固定強度の向上を狙った技術に係るものである。
【背景技術】
【０００２】
胃瘻栄養バルーンカテーテルは、病気等により口から栄養物を摂取することができない患者に対して、体外から胃の中へ直接カテーテルを挿入した後、種々の方法によりその挿入位置を固定し、栄養剤や薬液等を胃の中に送り込むものである。口から栄養物を摂取することができない場合、以前は鼻から胃までカテーテルを挿入していたが、どうしても違和感があり、初めての患者にとっては苦痛を伴うものであったり、術者のミスで肺に挿入されたことに気づかないまま薬液などが注入される等の事故も生じているため、患者への負担を少なくする留置方法として近年多く用いられるようになっている。すなわち、鼻からの挿入に比べて患者が違和感を感じることがなく、確実に胃の中にカテーテルの先端開口部が位置されるので、事故が少ないということも多用されている一因となっている。
【０００３】
前記のように体外（腹部）から胃の中へ直接カテーテルを挿入し、腹部の皮膚の開口部に瘻孔を作り、そこに固定する胃瘻栄養バルーンカテーテルにはそれなりのメリットがあるが、カテーテルと皮膚とを直接縫合糸等で固定することは、栄養剤等の漏れの原因となるため、固定リングという方法で固定するものが提案されている（例えば、特許文献１参照）。しかし、この特許文献１に記載された固定リングによる固定はカテーテルの外周面との摩擦係合だけで固定されているため、その摩擦力に抗した力がかかると、リングがカテーテル上を簡単に移動してしまい、カテーテルが必要以上に体内に落ち込み胃壁を傷付けたり、瘻孔とカテーテルとの隙間から胃液や薬液などが漏れることが生じていた。そこで、固定リングとカテーテルの間の摩擦抵抗を大きくするために、直角に屈曲した内腔を有する固定具も提案されている（例えば、特許文献２参照）。
【０００４】
【特許文献１】特公平４−４１０２８号公報
【特許文献２】特表平７−５０６９９４号公報
【０００５】
この特許文献２の固定具は、直角に屈曲した第１の孔と第２の孔によって補給管をしっかりと保持するため、滑り抵抗が大きく、固定には効果的ではあるが、この固定具の保持によって直角に屈曲する補給管の内腔は、抵抗が大きくなり、栄養剤などが流れ落ちきらずにその部位に溜まり、菌が繁殖する原因となるという問題があった。
【発明の開示】
【発明が解決しようとする課題】
【０００６】
そこでこの発明は、前記のような従来の問題点を解決し、カテーテルとの摩擦抵抗を大きくして滑り難くできるとともに、固定に伴いカテーテルの内腔に菌も繁殖しにくい医療用カテーテルの固定具を提供することを目的とする。
【課題を解決するための手段】
【０００７】
前記目的を達成するため、請求項１に記載の発明は、経皮的に体内へ挿入されるチューブ状の医療用カテーテルを固定する際に、該カテーテルの外周に嵌め込んで使用される固定具であって、カテーテルとの摩擦力によって該カテーテルの長さ方向の移動を制御するストッパ部と、リング状、脚状或いは板状に形成されて皮膚に接触する固定部とからなる医療用カテーテルの固定具において、前記ストッパ部のカテーテルの外周に嵌め込まれる内腔が、その中心軸線と同一の中心軸線をもった第１内腔部と、該第１内腔部の中心軸線と僅かな角度で傾斜して連接された第２内腔部とで形成され、カテーテルの外周面との間の摩擦抵抗を大きくして滑り難くしたことを特徴とする。請求項２に記載の発明は、請求項１において、第２内腔部の傾斜角度が、７°〜１５°であることを特徴とする。
【０００８】
請求項３に記載の発明は、経皮的に体内へ挿入されるチューブ状の医療用カテーテルを固定する際に、該カテーテルの外周に嵌め込んで使用される固定具であって、カテーテルとの摩擦力によって該カテーテルの長さ方向の移動を制御するストッパ部と、リング状、脚状或いは板状に形成されて皮膚に接触する固定部とからなる医療用カテーテルの固定具において、前記ストッパ部のカテーテルの外周に嵌め込まれる内腔が、波状或いは螺旋状に形成され、カテーテルの外周面との間の摩擦抵抗を大きくして滑り難くしたことを特徴とする。
【０００９】
請求項４に記載の発明は、請求項１ないし３のいずれかにおいて、ストッパ部と固定部とが着脱可能となっていることを特徴とする。
【００１０】
請求項５に記載の発明は、請求項１ないし４のいずれかにおいて、医療用カテーテルが、胃瘻栄養バルーンカテーテル、腎盂バルーンカテーテル、気管切開カテーテル、排液用カテーテル、のいずれかであることを特徴とする。
【発明の効果】
【００１１】
この発明は、前記のようにストッパ部のカテーテルの外周に嵌め込まれる内腔を、その中心軸線と同一の中心軸線をもった第１内腔部と、該第１内腔部の中心軸線と僅かな角度で傾斜して連接された第２内腔部とで形成し、又は波状或いは螺旋状に形成し、カテーテルの外周面との間の摩擦抵抗を大きくして滑り難くしたので、カテーテルを抜けにくくできる。また、固定に伴い従来のようにカテーテルが直角に屈曲することがないから、カテーテルの内腔に流量抵抗が発生せず、したがってカテーテルの内腔に菌が繁殖しにくいものとなる。
【発明を実施するための最良の形態】
【００１２】
この発明の一実施の形態を、添付図面を参照して説明する。
【００１３】
一実施の形態は胃瘻栄養バルーンカテーテルに実施したものである。図１はその全体図であり、固定具１は胃瘻栄養バルーンカテーテル２の外周面に挿入されている。固定具１はカテーテル２の挿入した位置を決める固定部５と、該固定部に着脱可能に結合されるストッパ部６からなっている。図２にも示すように固定部５は環状基板７と環状板８とこれら両板を連結した複数のリブ９からなっている。環状板８はカテーテル２のバルーン側、すなわち体外において腹部の皮膚に形成した瘻孔と対面するように配置される。
【００１４】
ストッパ部６は外径が固定部５の基板７と同径からなり、図３に示すようにその内腔は基板７の中心軸線と同一の中心軸線をもった第１内腔部１３と、該第１内腔部の中心軸線Ｘと僅かな角度で傾斜して連接された第２内腔部１４とを有している。第１内腔部１３の中心軸線Ｘに対する第２内腔部１４の中心軸線Ｙの傾斜角度θは５°〜２０°、好ましくは７°〜１５°、より好ましくは図示例のように１０°となっていて、これにより胃瘻栄養バルーンカテーテル２の外周面との間に摩擦抵抗を大きくして滑り難くしている。第１内腔部１３と対応する外周面には基板７の内径とほぼ同じ外径の環状凹溝１５が形成され、該凹溝と固定部５に隣接する外周面１６はやや小径に形成されていて、固定部５とストッパ部６の結合時に固定部５の基板７が乗り越え易いようになっている。
【００１５】
カテーテル２はチューブ状となったカテーテル本体２１の先端部にバルーン２２が装着され、後端部にはファンネル部２３が設けられ、キャップ付きのコネクタ２５が装着されるようになっている。２６はファンネル部２３の分岐部に設けられたバルーンルーメンである。カテーテル本体２１の先端２７の形状はコーナーカットに形成され、バルーン２２が膨張した場合でもバルーン２２の膨張面より突出しないようになっており、これにより胃壁への損傷が軽減される。
【００１６】
カテーテル本体２１とバルーン２２を含みカテーテル２は、シリコーンゴムなど弾性材料からなっている。ただ、カテーテル本体２１は軟質樹脂としてもよい。このように材質もシリコーンゴムだけに限らず、生体に悪影響を与えない任意の材質のものを使用することができる。
【００１７】
前記のように構成された固定具１は、固定部５が大径の環状板８を具え、出荷時にカテーテル２の外周に装着すると、嵩張るので、カテーテル２の外周にはストッパ部６のみ装着して固定部５は装着せず、固定部５は別に袋詰めにされたうえストッパ部付きカテーテル２とともに出荷される。そのため保管や輸送に便利でコスト削減になる。ストッパ部６をカテーテル２の外周に装着するには、バルーン２２が収縮した状態のカテーテル２を先端側からストッパ部６の第２内腔部１４、第１内腔部１３へと通してやり、軸方向中間部に挿入位置させる。
【００１８】
使用に際しては、まず袋から取り出した固定部５をカテーテル２の外周に装着する。すなわち、バルーン２２が収縮した状態のカテーテル２を先端側から固定部５の基板７へ通してやり、ストッパ部６の近くの軸方向中間部に挿入位置させる。この挿入に際し、固定部５の基板７の内径はカテーテル２の外径より大きいので、迅速かつスムーズに挿入される。この挿入状態を示すのが図１であり、この状態ではストッパ部６と固定部５はまだ結合されていない。
【００１９】
次に前記のように固定部５及びストッパ部６を挿入保持したカテーテル２は、例えば既存の外科的手順を使用して腹壁に形成された瘻孔を介して患者の胃の中にバルーン２２を含むカテーテル本体２１の先端部が入るように挿入され、挿入後、バルーンを膨張させる。このバルーン２２の膨張により胃壁にはバルーンが当たって、カテーテル本体２１の先端が直接胃壁に当たることがないから、胃壁が傷付けられることはない。
【００２０】
バルーン２２を膨張させた後、カテーテル本体２１を体外方向に引き、カテーテル本体の先端と反対側のバルーン２２の膨張面が胃壁の当たるようにするとともに、体外にある固定部５とストッパ部６を結合して固定部５の環状板８とバルーン２２とで胃壁を挟むようにする。結合するには、例えば固定部５を図１の矢印で示すようにストッパ部６に接近させ、基板７をストッパ部６の外周面１６を乗り越えさせて環状凹溝１５に嵌合する。これにより固定部５とストッパ部６は図２に示すように結合された状態になる。
【００２１】
前記により、カテーテル２は膨張したバルーン２２と固定具１によって、しっかりと患者の腹部に固定された状態になる。この固定状態では固定具１より腹部に挿入されたカテーテル本体２１の部分はほぼ直線状になり、固定具１より体外側のカテーテル本体２１の部分は固定具１の内腔に第１内腔部１３に対して１０°傾斜した第２内腔部１４があるためやや傾斜状になる。換言すると、体外側のカテーテル本体２１の部分は傾斜しても体内側は傾斜しない。このような状態においてカテーテル２のファンネル部２３から患者の必要とする各種の栄養剤や薬剤が胃の中に注入される。そして使用時に固定具１に対してカテーテル２が胃の中に引き込まれる力を受けても固定具１の前記傾斜部のある内腔とカテーテル本体２１の外周面との摩擦抵抗が大きいので、引き込まれることなく所定の挿入位置を保持する。また、使用時に固定具１は環状板８のみが体外皮膚に接触し、瘻孔に直接接触することがないので、皮膚の刺激及び感染の潜在的な原因は排除される。
【００２２】
所要期間にわたって使用された後、カテーテル２は交換されるが、その際はバルーン２２を収縮し調節可能な固定具１を後退させてカテーテル２を除去することにより行う。
【００２３】
図４はストッパ部の変形例を示し、この例ではストッパ部３６の内腔１３，１４と対応する外周面が前記に示したものに比し、約倍近く有している。このようにストッパ部３６の外周面が長くなると、カテーテル本体２１の外周面と接する内腔が長くなり、摩擦抵抗がさらに増して抜けにくくなる。
【００２４】
図５はストッパ部の別の変形例を示し、この例ではストッパ部の内腔を傾斜ではなく、波形に蛇行させてカテーテル本体２１の外周面との摩擦抵抗を大きくして滑り難くしたものである。（Ａ）のストッパ部４６は、第１内腔部１３は基板７の中心軸線と同一の中心軸線をもっているが、これに連接する第２内腔部４７が波形に蛇行した構成になっている。（Ｂ）のストッパ部５６は、（Ａ）の波形が単一であるのに対して第２内腔部５７が細かく交互に複数設けた構成になっている。（Ｃ）のストッパ部６６は、第２内腔部のみならず、第１内腔部も一体となって内腔６７の全体が波形の蛇行した構成になっている。いずれの構成においても前記したものと同様の作用効果が期待できる。
【００２５】
図６はストッパ部のさらに別の変形例を示し、この例ではストッパ部７６の内腔が第１内腔部１３は基板７の中心軸線と同一の中心軸線をもっているが、これに連接する第２内腔部の一部、この図では上側にカテーテル本体２１の外周面に沿う円弧状の突起７７が形成され、該突起と対応する下側に突起７７により押し下げられるカテーテル本体２１の外周面を受け入れ支持する段付き凹所７８が形成された構成になっている。このような突起と凹所によってカテーテル本体２１を蛇行させてその外周面との摩擦抵抗を大きくして滑り難くしたものである。このような構成においても前記したものと同様の作用効果が期待できる。尚、突起７７の軸方向断面形状は図示のような方形（四角）でなくともよく、半円弧状等としてもよい。また、突起７７は一体構成が好ましいが、別体でもよいし、材質も同質又は異質のどちらでもよい。
【００２６】
図７はストッパ部のさらに別の変形例を示し、この例ではストッパ部８６の内腔に突起８７が略螺旋状に形成されている。図６では突起７７が１個のため凹所７８も対応する部分に１箇所形成したが、この場合は全体に形成されている。つまり内腔８８の全体が凹所を含めた大径になっている。この例のように螺旋状の突起８７が形成された内腔の場合であっても、前記したものと同様にカテーテル本体２１の外周面との間に摩擦抵抗を大きくして滑り難くなり、同様な作用効果を期待できる。
【００２７】
図８，９は別の実施の形態を示す。前記実施の形態では固定部５とストッパ部６が着脱可能な構成となっていたが、この実施の形態では一体構成である点で相違する。すなわち、ストッパ部９６は固定部９５と一体になっており、その内腔に形成される第１内腔部９３と第２内腔部９４は図３に示す第１内腔部１３及び第２内腔部１４と同様の構成となっている。このような固定部９５とストッパ部９６が一体になっている固定具においては、バルーン２２が収縮したし状態のカテーテル２を先端側からストッパ部９６の第２内腔部９４、第１内腔部９３、さらに固定部９５へと通してやり、軸方向中間部の外周に装着する。装着後における作用は、段落番号００１９〜００２２に記載した前記実施の形態と同様である。
【００２８】
前記実施の形態では胃瘻栄養バルーンカテーテルを示したが、これは一例であって、ほかに腎盂バルーンカテーテル、膀胱瘻カテーテル、気管切開カテーテルなど任意の医療用カテーテルにも実施することが可能である。また、固定部５をリング状に形成したが、これはウイング状に形成してもよい。そのほか、細部の設計的な事項についても、特許請求の範囲に記載した事項を逸脱しない範囲で適宜変更、修正することができることは言うまでもない。
【図面の簡単な説明】
【００２９】
【図１】この発明の一実施の形態を示す、一部省略のバルーンカテーテルの全体図である。
【図２】同上の固定部とストッパ部の連結状態を示す拡大断面図である。
【図３】同上のストッパ部を示し、（Ａ）は断面図、（Ｂ）は側面図である。
【図４】ストッパ部の変形例を示す断面図である。
【図５】（Ａ），（Ｂ），（Ｃ）ともにストッパ部の別の変形例を示す断面図である。
【図６】ストッパ部のさらに別の変形例を示し、（Ａ）は断面図、（Ｂ）は側面図である。
【図７】ストッパ部のさらに別の変形例を示す断面図である。
【図８】別の実施の形態の固定具を示す斜視図である。
【図９】同上の断面図である。
【符号の説明】
【００３０】
１  固定具                              ２  胃瘻栄養バルーンカテーテル
５  固定部                              ６  ストッパ部
７  基板                                ８  環状板
９  リブ                                １３  第１内腔部
１４  第２内腔部                        ２１  カテーテル本体
２２  バルーン                          ２３  ファンネル部
３６  ストッパ部                        ４６  ストッパ部
４７  第２内腔部                        ５６  ストッパ部
５７  第２内腔部                        ６６  ストッパ部
６７  内腔                              ７６  ストッパ部
７７  円弧状の突起                      ７８  段付き凹所
８６  ストッパ部                        ８７  螺旋状の突起
８８  内腔                              ９３  第１内腔部
９４  第２内腔部                        ９６  ストッパ部
９８  環状板                            ９９  リブ
【図１】
2006305025.tif 000003
【図２】
2006305025.tif 000004
【図３】
2006305025.tif 000005
【図４】
2006305025.tif 000006
【図５】
2006305025.tif 000007
【図６】
2006305025.tif 000008
【図７】
2006305025.tif 000009
【図８】
2006305025.tif 000010
【図９】
2006305025.tif 000011